(57)【特許請求の範囲】
【請求項１】
軸方向に軸方向鉄筋が間隔をおいて環状に配置され、前記軸方向鉄筋の周りに元口部分から末口部分にわたりらせん鉄筋がらせん状に巻かれている中空のコンクリートポールにおいて、前記軸方向鉄筋の外側に曲げモーメントが大きいグランドレベルより下の元口部分と上方の末口部分を除く中間部分に前記曲げモーメントに耐える高張力綱線のらせん筋が巻回され、前記中間部分の高張力鋼線のらせん筋が５０ｍｍ以下の間隔で巻かれ、それ以外の部分は高張力鋼線又は普通鋼線のらせん筋が１００ｍｍ以下の間隔で巻かれていることを特徴とするコンクリートポール。
【発明の詳細な説明】
【技術分野】
【０００１】
本発明は、電柱などに使用されるコンクリートポールに関する。
【背景技術】
【０００２】
コンクリートポールは、電線や電話線を架け渡すための支柱、防球ネットの支柱などに使用されている。従来、その全長にわたりＰＣ鋼材の軸方向鉄筋と補助軸方向鉄筋が環状に配置され、軸方向鉄筋の周りに組立用補強材として普通鋼線のらせん筋が巻回され、その外側の周りをコンクリートで成型した中空のコンクリートポールが使用されている。このらせん筋が巻回されたコンクリートポールでは、その強度を上げるためには、コンクリートの厚さを増加させたり、軸方向鉄筋の断面積を大きくしたりするためにコンクリートポールが大径となり、重量が増加するという欠点があった。
【０００３】
そこで、本出願人は、コンクリートポールを大径にすることなく強度を向上させることができるコンクリートポールを提案した（特許文献１参照）。また、そのリング筋を組み立てるためのリング筋組立装置も提案した（特許文献２参照）。
【０００４】
図８は前記特許文献１に記載されているコンクリートポールを示し、このコンクリートポール１は、全長にわたる軸方向鉄筋２、ポールの途中までの長さの補助軸方向鉄筋３、軸方向鉄筋２，３のまわりに巻く普通鋼線のらせん筋４、炭素鋼又は高張力鋼の帯状鉄筋５、高張力鋼のリング筋６及び遠心成形されたコンクリート８で構成されている。
【０００５】
帯状鉄筋５やリング筋６が曲げモーメントの大きい部分に配置されることでコンクリートポールの横拘束が強化されて軸方向鉄筋２，３の座屈が遅延される。
【０００６】
その結果、軸方向鉄筋２、３の性能を十分に引き出すことができ、靱性、エネルギー吸収能力が改善されることでコンクリートポールを大径にすることなくコンクリートポールの強度を向上させ、経済的なコンクリートポールを提供することが可能となった。
【０００７】
また、前記特許文献２に記載されたリング筋組立装置は、複数のリング筋配置装置及び複数のスペーサー受装置が交互に所定位置に配置され、両端には螺旋鉄筋コイル移動装置が配置され、リング筋の組立が容易になるというものである。
【先行技術文献】
【特許文献】
【０００８】
【特許文献１】特開平９−２７３３３３号公報
【特許文献２】特開平１０−５２８１５号公報
【発明の概要】
【発明が解決しようとする課題】
【０００９】
しかしながら、前記特許文献１、２のコンクリートポールに使用するリング筋は円形であることからリング筋組立装置の他に、リング筋を組み立てる前のリング筋の成型加工機械やリングの終端溶接装置などが必要であるだけでなく、全てのリング筋の外形寸法が異なることからリング成型加工機械の調節やリング終端の溶接、リング外径種類毎の仕分けの作業に時間を要するという問題があった。
【００１０】
また、鉄筋の組立工程において帯状鉄筋やリング筋は円形で自立しないため専用台を設置しその上に必要数を配置する作業と、鉄筋と一体化するため帯状鉄筋やリング筋と軸方向鉄筋を結束する組立作業があることから時間が掛かり、別途組立スペースが必要なことから生産効率に問題があった。
【００１１】
そこで、本発明は、リング筋を使用することなく且つコンクリートポールを大径にすることなく容易に組立可能な高強度を有するコンクリートポールを経済的に提供するものである。
【課題を解決するための手段】
【００１２】
本願請求項１の発明は、軸方向に軸方向鉄筋が間隔をおいて環状に配置され、前記軸方向鉄筋の周りに元口部分から末口部分にわたりらせん鉄筋がらせん状に巻かれている中空のコンクリートポールにおいて、前記軸方向鉄筋の外側に曲げモーメントが大きいグランドレベルより下の元口部分と上方の末口部分を除く中間部分に前記曲げモーメントに耐える高張力綱線のらせん筋が巻回され、前記中間部分の高張力鋼線のらせん筋が５０ｍｍ以下の間隔で巻かれ、それ以外の部分は高張力鋼線又は普通鋼線のらせん筋が１００ｍｍ以下の間隔で巻かれていることを特徴とするコンクリートポールである。
【発明の効果】
【００１４】
本発明のコンクリートポールは、その製造に当たって、横拘束筋を高張力鋼線のらせん筋にすることでリング筋を個別に加工する必要がなくなり、同一の材料で連続配置ができるため、加工時間を短縮することができる。
【００１５】
本発明のコンクリートポールは、高張力鋼線のらせん筋を曲げモーメントの大きい部分は横拘束筋として高張力綱線のらせん筋を使用し、高張力鋼線のらせん筋を５０ｍｍ以下の間隔で巻き、それ以外の部分は１００ｍｍ以下の間隔で巻くことで、従来の普通らせん筋を組立補強材として粗間隔で備えたコンクリートポールより靱性、コンクリート吸収能力が改善され、コンクリートポールの強度が向上し、経済的なコンクリートポールを提供することが可能になった。
【００１６】
本発明のコンクリートポールは、前記特許文献１のリング筋を備えたコンクリートポールと同等の性能を持たせることが可能となる。
【００１７】
本発明のコンクリートポールは、高張力鋼線のらせん筋は個別に独立していないため、リング筋を並べる作業が不要で全数の結束する必要がないことから作業時間を短縮することができ、普通らせん筋と同様に従来の方法で組み立てることができ、前記特許文献１のリングを備えたコンクリートポールよりも経済的なポールが提供できる。
【図面の簡単な説明】
【００１８】
【図１】本発明のコンクリートポールの模式図である。
【図２】本発明の高張力らせん筋７と普通らせん筋４を組み合わせたコンクリートポールの模式図である。
【図３】本発明の高張力らせん筋７と普通らせん筋４を組み合わせたコンクリートポールの別の実施例の模式図である。
【図４】本発明の高張力らせん筋７を異なる巻間隔で組み合わせた実施例の模式図である。
【図５】本発明の高張力らせん筋７を５０ｍｍ以下の間隔で全長に巻いた実施例の模式図である。
【図６】破壊荷重と最大たわみの関係を示す図である。
【図７】破壊荷重と最大たわみの関係を示す図である。
【図８】特許文献１のコンクリートポールの模式図である。
【発明を実施するための形態】
【００１９】
図１は、図８に示す帯状鉄筋５やリング筋６を硬鋼線の高張力らせん筋７に置き換えた本発明のコンクリートポールの模式図で、軸方向鉄筋２，３、遠心成形したコンクリート８は従来のものと同じであるが、軸方向鉄筋２，３のまわりの曲げモーメントの大きい部分は５０ｍｍ以下の間隔で、それ以外の部分は１００ｍｍ以下の間隔で高張力らせん筋７を巻きつけている。
【００２０】
軸方向鉄筋や補助軸方向鉄筋には、従来のコンクリートポールと同様にＰＣ鋼材を使用する。らせん筋には、引張強さ８００Ｎ／ｍｍ２以上の高張力鋼線（例えば、ＪＩＳ  Ｇ  ３５２１、ＪＩＳ  Ｇ  ３５２２）を使用する。線径は、２．０〜５．０ｍｍである。
【００２１】
中間部分以外の部分には、高張力鋼線、あるいは従来と同様に普通鋼線を適宜使用することができる。
【００２２】
図２は曲げモーメントが小さい末口部分および地中に埋まる元口部分に普通らせん筋４を配置し、曲げモーメントの大きい部分は５０ｍｍ以下の間隔で、それ以外の部分は１００ｍｍ以下の間隔で高張力らせん筋７を巻いた実施例である。
【００２３】
図３は曲げモーメントが小さい末口部分および地中に埋まる元口部分に普通らせん筋４を配置し、それ以外の部分はすべて５０ｍｍ以下の間隔で高張力らせん筋７を巻いた実例である。
【００２４】
図４は曲げモーメントの大きさに応じて異なる巻間隔の高張力らせん筋７を組み合わせた例である。グランドライン付近では５０ｍｍ以下の間隔で巻き、末口に向かって１００ｍｍ以下の複数の間隔で巻くことで強度を調節した例である。
【００２５】
図５は高張力らせん筋７を全長に渡って５０ｍｍ以下の間隔で巻いた例である。
【実施例１】
【００２６】
長さ１５ｍ設計荷重１０ｋＮのコンクリートポールの場合、特許文献１、本発明ともに従来のコンクリートポールに比べ、鉄筋量、コンクリート量を減らすことができ、破壊荷重、最大たわみ、エネルギー吸収能力を増加することを表１、図６で示している。
【００２７】
本実施例は、特許文献１よりエネルギー吸収能力がやや大きく、最大たわみがやや小さい値であるが、破壊荷重は同じであることから性能は同等であり、鉄筋の組立工程を考慮すると経済性に優れている。
【表１】
0006616636.tif 000002
【実施例２】
【００２８】
長さ１５ｍ設計荷重２０ｋＮのコンクリートポールの場合はコンクリート量がほぼ同等であるが、特許文献１、本発明とも従来のコンクリートポールに比べ、鉄筋量を減らすことができ、破壊荷重、最大たわみ、エネルギー吸収能力を増加することを表２、図７で示している。
【００２９】
本実施例も特許文献１より最大たわみ、エネルギー吸収能力は低下しているが、破壊荷重は同じであることから性能は同等であり、鉄筋の組立工程を考慮すると経済性に優れている。
【表２】
0006616636.tif 000003
【符号の説明】
【００３０】
１  コンクリートポール
２  軸方向鉄筋
３  補助軸方向鉄筋
４  普通らせん筋
５  帯状鉄筋
６  リング筋
７  高張力らせん筋
８  コンクリート
【図１】
0006616636.tif 000004
【図２】
0006616636.tif 000005
【図３】
0006616636.tif 000006
【図４】
0006616636.tif 000007
【図５】
0006616636.tif 000008
【図６】
0006616636.tif 000009
【図７】
0006616636.tif 000010
【図８】
0006616636.tif 000011